(57)【要約】【課題】  構造が簡単で嵩張らず、従って始末が容易で、旅行などで和服と一緒に持ち歩く時や収納に利便性があり、しかも一度指導を受けるかマニュアルを読めば誰でも容易に、文庫、蝶々、一文字、片流し等変化に富んだ蝶飾り帯を結ぶことが出来、そして帯を結んだ後は、舞踊等で激しく動いても本来の帯を締めた時と同様、蝶飾りがきちんとした状態を維持する三点帯を提供する。【解決手段】  袋帯状とし、両端に便宜長さの結び紐１ａ，１ｂを連結した胴巻帯１と、袋帯状とした飾り帯２と、袋状にして両端に芯板３ａ，３ｂを入れ、且つ面ファスナー４ａ，４ｂを付した括り紐４を取付けた飾り止帯３から成る三点帯。【選択図】  図１
0003106172.tif 000002
【実用新案登録請求の範囲】
【請求項１】
両端に便宜長さの結び紐を連結した胴巻帯と、飾り帯と、袋帯状として両端に芯板を入れた飾り止帯から成る三点帯。
【請求項２】
飾り止帯の中間に括り紐を設けたことを特徴とする請求項１記載の三点帯。
【請求項３】
胴巻帯、飾り帯及び飾り止帯の表裏の色又は柄を相違させてリバーシブル様式としたことを特徴とする請求項１または請求項２記載の三点帯。
【考案の詳細な説明】
【技術分野】
【０００１】
本考案は、和装用の帯、詳しくは、胴巻帯、飾り帯及び飾り止帯から成る三点帯に関するものである。
【背景技術】
【０００２】
最近、浴衣の素材や色柄の種類が豊富になり、例えばコマ地と呼ばれる平織りの木綿の外、高級感のある紅梅、縮、綿絽、綿紗等の素材や、また、色柄については伝統的な模様の白地や紺地、藍地から現代感覚のカラフルなものまで市販されるようになって来た。
【０００３】
それらの素材を使った浴衣は、風情があり、粋でモダンでお洒落であるため、若い女性間に、お祭や縁日、花火大会あるいはちょっとした会合や街着として賞用されるようになって来た。勿論日本舞踊の世界では、古くから稽古着として使用されていることは周知の通りである。
【０００４】
ところが、折角良い素材の浴衣を着ても、最後に着物を引き立て容姿を決める帯を自分では手軽に、美しく、すっきりと結べないため、それが多くの女性達の「着物離れ」の大きな要因となっている。また、日本舞踊を習っている女性達も、最初に帯を結ぶ時に決める「て」の長さの決定にてこずるため、手軽に、美しく、すっきりと結べる使い勝手の良い帯の出現を望んでいる。
【０００５】
この要求に応えるため、一般用としては、図５に示すように胴巻帯イと、金属線で作った差込金具口と紐ハを備えた蝶飾りニから成る２部式の簡易帯が市販されているが、蝶飾りニは予め形状が決まっており嵩張るため、持ち歩く時や収納に不便なものである。しかも差込金具口は滑り易く移動し易いため、紐ハを締めて左右の動きを止めたとしても、蝶飾りニが傾斜して位置ずれを生じ、見苦しくなり易いという不具合が指摘されている。
【０００６】
この外、帯枕や面ファスナ−を用いて蝶飾りを固定するもの等、種々のものが提案されているが、何れも構造を複雑にした割には位置ずれを生じ易く、特に舞踊の際、蝶飾りが動いていることが気になると共に見苦しくなるため、動きの激しい日本舞踊家には全く見向きもされていないのが実情である。
【特許文献１】登録実用新案第3080680号公報
【考案の開示】
【考案が解決しようとする課題】
【０００７】
そこで本考案は、構造が簡単で嵩張らず、従って始末が容易で、旅行などで和服と一緒に持ち歩く時や収納に利便性があり、しかも一度指導を受けるかマニュアルを読めば誰でも容易に、文庫、蝶々、一文字、片流し等変化に富んだ蝶飾り帯を結ぶことが出来、そして帯を結んだ後は、舞踊等で激しく動いても本来の帯を締めた時と同様、蝶飾りがきちんとした状態を維持するものを提供しようとするものである。
【課題を解決するための手段】
【０００８】
本考案は、上記の課題を解決するためになされたもので、第１の考案は、両端に便宜長さの結び紐を連結した胴巻帯と、飾り帯と、袋帯状として両端に芯板を入れた飾り止帯から成る三点帯である。
【０００９】
第２の考案は、前記第１の考案において、飾り止帯の中間に括り紐を設けたことを特徴とする三点帯である。
【００１０】
第３の考案は、前記第１又は第２の考案において、胴巻帯，飾り帯及び飾り止帯の表裏の色又は柄を相違させてリバーシブル様式とした三点帯である。
【００１１】
しかして、胴巻帯及び飾り帯，飾り止帯は、通常、半帯幅の袋帯状とすることが好ましい。また、飾り止帯の両端に設ける芯板は、ベニヤ板のように薄くとも、剛性があり且つ滑りがなく布地との密着性がよいものが好ましい。
【００１２】
また、飾り止帯の中間に設ける括り紐としては、面ファスナ−を設けた平紐やゴム平紐が使い勝手が良い。
【考案の効果】
【００１３】
本考案を構成する胴巻帯、飾り帯及び飾り止帯は全て帯状であるから、折り畳めば、嵩張ることがないので、外出先や旅行先で着用する和服と一緒に持ち運ぶのに頗る便利である。また、蝶飾りは、蝶飾り帯をジグザグ状に折り畳み、中央にタックを寄せ、そのタック部の外側に飾り止帯を回し、芯板入りの両端を把持して和服と腰に巻き付けた胴巻帯の間に深く挿入するだけの頗る簡単な操作で蝶飾りを完成することが出来、飾り止帯の両側に出した羽根の形状及び長さを変化させることにより、文庫、蝶々、一文字、片流し等の蝶飾りとすることが出来る。そして取り扱いに馴れればそのままで蝶飾りが崩れることがない。更に括り紐で飾り止帯の首部を括って、飾り止帯両端がずれないように固定すれば確実である。また、体型が痩せ型、肥満型の何れにも使用できる。
【実施例１】
【００１４】
図１は本考案の実施例を示すもので、１は胴巻帯、２は飾り帯、３は飾り止帯で、何れも袋帯状に縫製されていて、胴巻帯１及び飾り帯２は半帯幅の１５ｃｍで、胴巻帯１の長さは１６０ｃｍ、飾り帯２の長さは１１０ｃｍに作られている。また飾り止帯３の長さは４２ｃｍ、幅は７．５ｃｍに作られている。
【００１５】
そして胴巻帯１の両端上部には長さ６５ｃｍ、幅２．５ｃｍの袋縫いした結び紐１ａ，１ｂが取付けられており、また、飾り止帯３の両端には長さ１２．５ｃｍのベニヤ板を使った芯板３ａ，３ｂが取付けられ、且つ両端に面ファスナ−４ａ，４ｂを取付けた平ゴムを用いた括り紐４が一方の芯板３ａの取付部より内側に取付けられている。
【００１６】
次に本考案にかかる帯の用法を説明すると、先ず着物Ａを着用した後、図３の（ａ）に示すように胴巻帯１を後ろ前の位置で締め、次に図２の（ａ）及び図３の（ｂ）に示すように、飾り帯２を適宜の長さに折り、中央にタック２ａを寄せ、その上に２つ折りの飾り止帯４を覆せ、両端を片手で把持し、括り紐４で２つ折りした飾り止帯３の首部を括り止めし、着物Ａと胴巻帯１間に図３の（ｃ）に示すように飾り止帯３の両端を割り込ませる。
【００１７】
この状態で、飾り帯２の両側の羽根の長さや形を好みに応じて、文庫、蝶々、一文字、片流し等の形に整えた後、胴巻帯１とともに飾り止帯３を両手で把持し、息を吸って僅かに腹部を細め、半回転させて後ろの所定位置まで回す。
【００１８】
かくすれば、人手を借りず、鏡が無くとも後姿のよい帯結びを行うことが出来る。そして、両端に設けた芯板３ａ，３ｂは着物Ａと胴巻帯１間にしっかりと固定され飾り止帯３が抜け出すことがないので、体を動かしても蝶飾りが移動したり形崩れを生じることはない。この効果は、括り紐４を使用しなくとも同様である。
【００１９】
なお、括り紐４を設けたのは、蝶飾りを好みの状態に整える時、飾り止帯３の両端をしっかりと押さえていなくとも行えるようにするためである。
【００２０】
以上説明した用法は、一般的な用法であるが、馴れれば従来通り胴巻帯１を後ろで結び、図２の（ａ）に示すように飾り止帯３で飾り帯２を止め、蝶飾りを希望する状態に整えた後、手を後ろに回して着物Ａと胴巻帯１間に飾り止帯３の両端を挿入することにより帯結びを完了することができる。
【００２１】
以上のように、本考案に係る三点帯によれば、初心者でも好みとＴＰＯに合わせた蝶飾りの帯を自分で容易に結ぶことができるものである。しかも、身体を激しく動かしても、形崩れを生ぜず、また芯板３ａ，３ｂが腰板の役目をするため、所謂、腰が決まり、姿勢が良くなり、浴衣用帯としては勿論のこと、特に稽古時の日本舞踊用の帯として好適である。
【００２２】
また、初心者のように、蝶飾りの左右のずれを気にする場合には、蝶飾りを形成する時に飾り帯２と共に、紐を飾り止帯３に挟んで使えばよい。そして、この紐を図２の（ｂ）に示すように美しい細スカーフ５等を用いて帯揚式に彩を添えたお洒落が可能である。
【実施例２】
【００２３】
図４は異なる実施例を示すもので、胴巻帯１’、飾り帯２’及び飾り止帯３’をそれぞれ柄と色が異なる２枚の布地で袋帯状に縫製してリバーシブル様式のものとしたものであり、寸法及び基本構造は図１に示した実施例と同じである。
【００２４】
この実施例によれば、着物の色、柄、デザインにマッチした着こなしが可能になる。
【図面の簡単な説明】
【００２５】
【図１】本考案の実施例における各帯の構造を示す平面図
【図２】本考案の飾り帯と飾り止帯で形成した蝶飾りの斜視図
【図３】本考案に係る三点帯の用法を示す説明図
【図４】本考案の異なる実施例２における各帯の構造を示す平面図
【図５】従来の２部式帯の分解斜視図
【符号の説明】
【００２６】
１          胴巻帯
１ａ，１ｂ  結び紐
２          飾り帯
３          飾り止帯
３ａ，３ｂ  芯板
４          括り紐
４ａ，４ｂ  面ファスナー
【図１】
0003106172.tif 000003
【図２】
0003106172.tif 000004
【図３】
0003106172.tif 000005
【図４】
0003106172.tif 000006
【図５】
0003106172.tif 000007